(57)【要約】【課題】  認証装置を原稿排出トレイの所定の場所に配置しようとした時に、適切な位置に認証装置を配置しないとユーザビリティが良くなくなるおそれがある【解決手段】  シートの画像を読取る読取り手段を備えるリーダユニット１２と、リーダユニット１２に対して回動可能に設けられた原稿搬送装置１０を備える画像読取装置２において、原稿搬送装置１０はカードリーダ１８を備える。原稿搬送装置１０は、読取られた原稿が排出される原稿排出トレイ１６を備える。カードリーダ１８を取り付ける取付部２５は、シートが手前側に飛び出してこないように規制するためのシート規制部１６ｃがない第２の領域１６ｂの位置に配置される。【選択図】  図１１
2018064153.tif 000002
【特許請求の範囲】
【請求項１】
シートの画像を読取る読取り手段を備える読取ユニットと、
前記読取ユニットに対して回動可能に設けられた回動ユニットと、を備える画像読取装置において、
前記回動ユニットは、シートを前記読取手段により画像が読取られる位置へ搬送する搬送ローラと、前記読取り手段により画像を読み取られたシートを積載する排出シート積載トレイと、前記排出シート積載トレイにシートを排出する排出ローラと、ユーザと無線通信をする通信手段と、を備え、
前記排出シート積載トレイのシートが積載される領域は、第１の領域と、シートの搬送方向において前記第１の領域よりも下流の第２の領域を含み、
前記第１の領域は、前記第１の領域よりも手前側にシートの積載される底面よりも高さが高くなったシート規制部を有する領域であり、前記第２の領域は前記シート規制部を有しない領域であり、
前記通信手段により情報を読取るための読取部は、前記第２の領域と重複する位置に設けられることを特徴とする画像読取装置。
【請求項２】
前記第１の領域は、シート搬送方向の下流が高くなるように傾斜する傾斜面を備えることを特徴とする請求項１に記載の画像読取装置。
【請求項３】
前記排出シート積載トレイは、シートの搬送方向の上流側の端部と接触する接触壁を備えることを特徴とする請求項１又は２に記載の画像読取装置。
【請求項４】
前記読取部は水平面であることを特徴とする請求項１乃至３のいずれか１項に記載の画像読取装置。
【請求項５】
前記シート規制部の上面と、前記読取部の面は、略同一平面であることを特徴とする請求項１乃至４のいずれか１項に記載の画像読取装置。
【請求項６】
前記第２の領域は、前記読取部よりも高さが高くなった領域を備えることを特徴とする請求項１乃至５のいずれか１項に記載の画像読取装置。
【請求項７】
前記通信手段は、カードリーダであることを特徴とする請求項１乃至６のいずれか１項に記載の画像読取装置。
【請求項８】
シートの画像を読取る読取り手段を備える読取ユニットと、
前記読取ユニットに対して回動可能に設けられた回動ユニットと、を備える画像読取装置において、
前記回動ユニットは、シートを前記読取手段により画像が読取られる位置へ搬送する搬送ローラと、前記読取り手段により画像を読み取られたシートを積載する排出シート積載トレイと、前記排出シート積載トレイにシートを排出する排出ローラと、ユーザと通信する通信装置本体が取り付けられる取付部と、前記通信装置本体と通信するための通信ケーブルが接続される接続部と、を備え、を備え、
前記排出シート積載トレイのシートが積載される領域は、第１の領域と、シートの搬送方向において前記第１の領域よりも下流の第２の領域を含み、
前記第１の領域は、前記第１の領域よりも手前側にシートの積載される底面よりも高さが高くなったシート規制部を有する領域であり、前記第２の領域は前記シート規制部を有しない領域であり、
前記取付部は、前記第２の領域と重複する位置に設けられることを特徴とする画像読取装置。
【請求項９】
前記第１の領域は、シート搬送方向の下流が高くなるように傾斜する傾斜面を備えることを特徴とする請求項８に記載の画像読取装置。
【請求項１０】
前記排出シート積載トレイは、シートの搬送方向の上流側の端部と接触する接触壁を備えることを特徴とする請求項８又は９に記載の画像読取装置。
【請求項１１】
前記読取部は水平面であることを特徴とする請求項８乃至１０のいずれか１項に記載の画像読取装置。
【請求項１２】
前記シート規制部の上面と、前記読取部の面は、略同一平面であることを特徴とする請求項８乃至１１のいずれか１項に記載の画像読取装置。
【請求項１３】
前記第２の領域は、前記読取部よりも高さが高くなった領域を備えることを特徴とする請求項８乃至１２のいずれか１項に記載の画像読取装置。
【請求項１４】
請求項１乃至１３のいずれか１項に記載の画像読取装置と、
前記画像読取装置で読み取られた画像情報に基づいて画像を形成する画像形成部と、を備える画像形成装置。
【発明の詳細な説明】
【技術分野】
【０００１】
本発明は、シートの画像を読み取る画像読取装置及びこれを具備する画像形成装置に関するものである。
【背景技術】
【０００２】
電子写真方式を利用した画像形成装置等において、セキュリティを強化のためにＩＣカードにより本人認証を求めるものが知られている。本人認証を行う認証装置は、画像形成装置本体に設けられるオペレーションパネルに隣接する位置に設けられたり（特許文献１）、画像形成装置本体の側面に設けられたりする（特許文献２）。
【先行技術文献】
【特許文献】
【０００３】
【特許文献１】特許５５９３７０９号公報
【特許文献２】特開２０１３−３００４２号公報
【発明の概要】
【発明が解決しようとする課題】
【０００４】
画像形成装置の小型化する一方、画像形成装置を操作するためのオペレーションパネルはユーザビリティを考慮して大型化する傾向がある。そのため、オペレーションパネルに隣接する位置にユーザと無線通信をするユーザ認証装置（通信装置）を配置できない場合がある。また、画像形成装置本体の側面に認証装置を設ける構成にすると、画像形成装置本体の側面から飛び出た位置に認証装置が配置されるため、設置場所に広いスペースを用意しなければならない。そこで、画像形成装置本体の上部に設けられる画像読取装置の原稿搬送装置に認証装置を配置することが考えられる。
【０００５】
原稿搬送装置は画像を読取られた原稿が排出されて積載される原稿排出トレイが設けられている。認証装置を原稿排出トレイに配置する場合、原稿搬送装置の小型化のために、排出された原稿が積載される領域に認証装置を配置することが考えられる。一方、原稿排出トレイには、排出された原稿が手前側に飛び出してこないようにするために、原稿排出トレイの底面よりも高くなったシート規制部が設けられている。認証装置を原稿排出トレイの所定の場所に配置しようとした時に、適切な位置に認証装置を配置しないと当該シート規制部がユーザの認証動作の邪魔をしてしまいユーザビリティが良くなくなるおそれがある。
【課題を解決するための手段】
【０００６】
本発明に係る画像読取装置の一態様は、シートの画像を読取る読取り手段を備える読取ユニットと、前記読取ユニットに対して回動可能に設けられた回動ユニットと、を備える画像読取装置において、前記回動ユニットは、シートを前記読取手段により画像が読取られる位置へ搬送する搬送ローラと、前記読取り手段により画像を読み取られたシートを積載する排出シート積載トレイと、前記排出シート積載トレイにシートを排出する排出ローラと、ユーザと無線通信する通信手段と、を備え、前記排出シート積載トレイのシートが積載される領域は、第１の領域と、シートの搬送方向において前記第１の領域よりも下流の第２の領域を含み、前記第１の領域は、前記第１の領域よりも手前側にシートの積載される底面よりも高さが高くなったシート規制部を有する領域であり、前記第２の領域は前記シート規制部を有しない領域であり、前記通信手段により情報を読取るための読取部は、前記第２の領域と重複する位置に設けられることを特徴とする。
【発明の効果】
【０００７】
本発明によれば、認証装置を適切な位置に配置し、ユーザビリティの良い画像読取装置を提供することができる。
【図面の簡単な説明】
【０００８】
【図１】図１（ａ）は、実施形態１に係る画像形成装置の正面図である。図１（ｂ）は、実施形態１に係る画像形成装置の斜視図である。
【図２】図２（ａ）は、実施形態１に係る画像読取装置の正面図である。図２（ｂ）は、実施形態１に係る画像読取装置の斜視図である。
【図３】図３（ａ）は、実施形態１において、原稿搬送装置をリーダユニットに対して開いた状態を表す斜視図である。図３（ｂ）は、実施形態１に係るヒンジの拡大図である。
【図４】原稿搬送装置の断面図である。
【図５】画像形成装置の制御ブロック図である。
【図６】図６（ａ）は原稿搬送装置の原稿圧板を取り除いた状態の斜視図、図６（ｂ）は原稿搬送装置にカードリーダを取りつける場合の説明図である。
【図７】図７（ａ）は原稿搬送装置の原稿圧板を取り除いた状態の斜視図、図７（ｂ）は原稿搬送装置に原稿圧板を取り付けた状態の斜視図である。
【図８】図８（ａ）は、カードリーダ本体と本体カバー部材の拡大構成図である。図８（ｂ）は、図８（ａ）と異なる方向から視た、カードリーダ本体と本体カバー部材の拡大構成図である。
【図９】図９は、原稿搬送装置の外装の一部を取り外し、モータを露出させた図である。
【図１０】図１０は、原稿搬送装置から原稿圧板を取り外した状態において、原稿搬送装置を下方から視た平面図である。
【図１１】図１１は、原稿排出トレイの構成を説明するための図である
【発明を実施するための形態】
【０００９】
以下に図面を参照して、この発明の好適な実施の形態を例示して詳しく説明する。画像読取装置は、フラットベッドスキャナのように装置単体として構成する場合の他、複写機やファクシミリなどの画像形成装置における画像読取部として用いられることも可能である。また、画像読取装置は、自動原稿搬送装置（以下、原稿搬送装置とする）を備え、原稿を搬送しながら読取る構成であっても良い。
【００１０】
なお、以下の実施の形態に記載されている構成部品の寸法、材質、形状、その相対配置などは、特に特定的な記載がない限りは、この発明の範囲をそれらのみに限定する趣旨のものではない。
【００１１】
〔概略構成〕
図１（ａ）は、複写機である画像形成装置１の正面図である。図１（ｂ）は、画像形成装置１の斜視図である。
【００１２】
画像形成装置１は、画像読取装置２と画像形成装置本体１１を備える。画像読取装置２は、回動ユニットである原稿搬送装置１０、読取ユニットであるリーダユニット１２、原稿載置トレイ１５、排出シート積載トレイである原稿排出トレイ１６を備える。画像形成装置本体１１は、画像形成部１３、シート給送部１４、操作パネル９を備える。操作パネル９は、画像表示部９（ａ）、テンキー９（ｂ）を備える。画像形成部１３は、画像形成装置本体１１の内部に設けられ、公知の電子写真方式による画像形成を行う。画像形成部１３は、感光体、露光装置、現像装置、転写装置、定着装置を備える。露光装置は、画像情報に基づき感光体に静電潜像を形成する。現像装置は、静電潜像をトナーにより現像剤像に現像する。転写装置は、現像剤像をシート給送部１４から搬送されて来たシート状の記録媒体に転写する。定着装置は、記録媒体の上の現像剤像を記録媒体に定着させる。コピーの場合、画像情報は、画像読取装置２により原稿（シート）の画像を読取ることで生成され、画像形成部１３へ送信される。プリントの場合、画像情報は、外部装置からプリントジョブとして画像形成部１３に送信される。
【００１３】
図２（ａ）は、図１（ａ）の画像読取装置２の拡大正面図である。図２（ｂ）は、図１（ｂ）の画像読取装置２の拡大斜視図である。
【００１４】
画像読取装置２の原稿載置トレイ１５と原稿排出トレイ１６は、鉛直方向において少なくとも一部が重なるように構成されている。原稿搬送装置１０の手前側には認証部Ｂが設けられている。認証部Ｂの内部にはユーザの認証情報を取得する通信手段であるカードリーダ１８が備えられている。カードリーダ１８は、ユーザと無線通信をする通信手段であり、具体的には非接触式のＩＣカードリーダである。ユーザは認証部Ｂに認証カードをかざすことにより、カードリーダ１８にカードの認証情報を読取らせる。
【００１５】
原稿を画像読取装置２により流し読みする場合について説明をする。ユーザは、原稿を原稿載置トレイ１５に原稿を載置し、操作パネル９により原稿の読取りを指示する。原稿は不図示の給送ローラにより給送され、読取部３ａにより原稿の表面の画像を読取られる。なお、原稿の両面を読取る場合は、読取部３ｂにより原稿の裏面の画像が読取られる。読取部３ａは、ＣＩＳ（ｃｏｎｔａｃｔ  ｉｍａｇｅ  ｓｅｎｓｏｒ）やＣＭＯセンサ（Ｃｏｍｐｌｅｍｅｎｔａｒｙ  Ｍｅｔａｌ  Ｏｘｉｄｅ  Ｓｅｍｉｃｏｎｄｕｃｔｏｒ  ｓｅｎｓｏｒ）を適用することが可能である。原稿排出トレイ１６には、傾斜部１７が設けられている。傾斜部１７は、隣接する部分よりも突出するように設けられている。原稿排出トレイ１６に排紙された原稿は、傾斜部１７により幅方向（原稿の搬送方向と直交する方向）の中央部のみが持ち上げられる。そのため、原稿の幅方向の端部に、原稿排出トレイ１６と隙間ができ、ユーザが隙間に手を入れやすくなるため、原稿をユーザが取出し易くなる。
【００１６】
図３（ａ）は、原稿搬送装置１０をリーダユニット１２に対して開いた状態を表す斜視図である。原稿搬送装置１０は、ヒンジ２２を中心にリーダユニット１２に対して回動可能に設けられている。原稿搬送装置１０が回動することにより、原稿搬送装置１０は読取ガラス４を開放する開き位置と、読取ガラス４を閉塞する閉じ位置を取ることが可能である。原稿搬送装置１０は、原稿圧板１９を備えている。原稿圧板１９は、原稿搬送装置１０が閉じ位置にある時に、読取ガラス４の上の原稿を押圧するように構成されている。リーダユニット１２は読取ガラス４を備えている。図３（ｂ）は、ヒンジ２２の拡大図である。連結部２２ａは原稿搬送装置１０とヒンジ２２をする。連結部２２ｂはリーダユニット１２とヒンジ２２を連結する。ヒンジ２２は回転軸２２ｃを備えており、原稿搬送装置１０はヒンジ回転軸２２ｃを中心としてリーダユニット１２に対して回動する構造となっている。
【００１７】
原稿を読取ガラス４に載置して読取りを行う場合について説明をする。ユーザは原稿搬送装置１０を開き、読取ガラス４を露出させる。ユーザは、読取ガラス４に、画像を下にして原稿を載置し、原稿搬送装置１０を閉じる。原稿搬送装置１０の原稿圧板１９は、読取ガラス４に原稿を押し付ける。ユーザが、操作パネル９により原稿の読取を指示すると、読取部３ａが移動し原稿の画像を読取る。
【００１８】
図４は原稿搬送装置１０の断面図である。
【００１９】
ピックアップローラ３０は、原稿載置トレイ１５に載置された原稿の最上シートと接触し、原稿を給送ローラ３１へと送り出す。給送ローラ３１は、ピックアップローラ３０のシート搬送方向の下流に設けられ、ピックアップローラ３０から搬送された原稿を下流に搬送する。分離ローラ３２は、給送ローラ３１と接触し、複数の原稿が搬送されてきた場合には、原稿を１枚ずつ分離する機能を有する。分離ローラ３２は不図示のトルクリミッタを介して、原稿を原稿積載トレイ１５の方向に戻すような回転駆動を受けている。給送ローラ３１と分離ローラ３２により挟持されるシートが２枚の場合は、分離ローラ３２の回転により分離ローラ３２と接触する原稿は原稿積載トレイ１５の方向に戻される。一方、給送ローラ３１と分離ローラ３２により挟持されるシートが一枚の場合は、給送ローラ３１の回転に従動するように分離ローラ３２は回転する。前述したトルクリミッタはこのような関係を満たすように駆動伝達するトルク値が設定されている。
【００２０】
給送ローラ３１と分離ローラ３２により１枚ずつに分離された原稿は、搬送ローラ対３３、３４により、読取部３ａにより原稿の画像が読み取られる位置まで搬送される。読取部３ａにより原稿の表面の画像を読取られた後、原稿は搬送ローラ対３５により搬送され、排出ローラ対３６により原稿排出トレイ１６の上に排出される。
【００２１】
図５は、画像形成装置１の制御ブロック図である。画像読取装置２は画像読取装置制御部２ａを備える。画像形成装置本体１１は、画像形成装置本体制御部１１ａを備える。画像形成装置本体制御部１１ａは、ＣＰＵ、ＲＯＭ、ＲＡＭを備える制御基板である。画像読取装置制御部２ａと画像形成装置本体制御部１１ａは通信可能となっている。画像形成装置本体制御部１１ａは、画像形成装置１の外部のサーバーやＰＣと通信可能となっている。
【００２２】
画像形成装置本体制御部１１ａは、画像形成部１３、ＨＤＤと電気的に接続される。画像形成装置本体制御部１１ａは、画像形成部１３を制御する。
【００２３】
画像読取装置制御部２ａは、原稿搬送装置制御部２ａ−１とリーダユニット制御部２ａ−２を備える。原稿搬送装置制御部２ａ−１とリーダユニット制御部２ａ−２は、それぞれＣＰＵ、ＲＯＭ、ＲＡＭを備える制御基板である。原稿搬送装置制御部２ａ−１はモータＭと電気的に接続されている。リーダユニット制御部２ａ−２は、読取部３ａ、３ｂ、ＵＳＢ接続部２１（以下、接続部２１）と電気的に接続されている。原稿搬送装置制御部２ａ−１は、モータＭを制御する。モータＭは、ピックアップローラ３０、給送ローラ３１、搬送ローラ対３３、３４、排出ローラ対３６に駆動を与える。なお、ピックアップローラ３０等への駆動の伝達は単一のモータで行っても良いし、複数のモータで行っても良い。リーダユニット制御部２ａ−２は、読取部３ａ、３ｂを制御する。原稿搬送装置制御部２ａ−１とリーダユニット制御部２ａ−２は通信ケーブルによって電気的に接続される。当該通信ケーブルは、後述するケーブルガイド５０によりガイドされる。
【００２４】
カードリーダ本体１８ａ（通信装置本体）との通信を行うための通信ケーブルであるＵＳＢケーブル１８ｂが接続部２１に接続されると、カードリーダ１８と画像読取装置制御部２ａとの間で通信が可能となる。カードリーダ１８により読み取られたユーザの認証情報は、画像形成装置本体１１のＨＤＤに記憶されたユーザ情報と照会され、画像形成装置１はユーザを認証する。なお、ユーザ情報は画像形成装置１とネットワークでつながったサーバーに記憶させておいても良い。
【００２５】
〔カードリーダ１８の取り付け構成及び取り付け方法〕
図６（ａ）、図６（ｂ）、図７（ａ）、図７（ｂ）、図８（ａ）、図８（ｂ）を用いて、カードリーダ１８を原稿搬送装置本体１０ａの原稿排出トレイ１６内部への取り付ける取付方法、及び取り付け部の構造について説明を行う。
【００２６】
先述したように、カードリーダ１８は、画像形成装置１に標準装備されるものではなく、オプションとして追加されることが多い。そのため、カードリーダ１８を後から簡易に取り付けられる構成となっている。
【００２７】
取付けの作業はサービスマンが行っても良いし、ユーザが行っても良い。オプションのカードリーダ１８を取り付ける場合は、図３（ａ）のように原稿搬送装置１０をリーダユニット１２に対して互いを連結するヒンジ２２によって略９０°開放する。
【００２８】
図６（ａ）は原稿搬送装置１０の原稿圧板１９を取り除いた状態の斜視図、図６（ｂ）は原稿搬送装置本体１０ａにカードリーダ１８を取りつける場合の説明図である。
【００２９】
原稿圧板１９は原稿搬送装置本体１０ａに対して第２取付手段である面ファスナー２６ａ、２６ｂにより着脱可能に取り付けられている。原稿搬送装置本体１０ａには面ファスナー２６ａが複数配置されており、原稿圧板１９には面ファスナー２６ａと対応する位置に面ファスナー２６ｂが配置されている。原稿圧板１９を原稿搬送装置本体１０ａから取り外されると、図６（ａ）に示すように原稿排出トレイ１６の内部が露出する。原稿排出トレイ１６の内部には、取付部２５、ケーブルカバー部材２４、接続部２１が設けられている。カードリーダ１８は、カード読取部であるカードリーダ本体１８ａと通信ケーブルであるＵＳＢケーブル１８ｂを含む。接続部２１は、ＵＳＢケーブル１８ｂのＵＳＢ端子が接続される。接続部２１とリーダユニット制御部２ａ−２とを電気的に接続するための制御ケーブル（不図示）はケーブルガイド５０によりガイドされる。ケーブルガイドは、読取部３ｂで読み取られた画像情報をリーダユニット制御部２ａ−２へ通信するための制御ケーブルもガイドする。なお、本実施形態において、画像読取制御部２ａは、原稿搬送装置制御部２ａ−１とリーダユニット制御部２ａ−２をそれぞれ持つ構成としたがこれに限られるものではない。リーダユニット１２のみに画像読取装置２の全体を制御する画像読取装置制御部２ａを設けるようにしてもよい。
【００３０】
取付部２５は、カードリーダ本体１８ａが取り付けられる部分である。本実施形態では、支持容器である本体カバー部材２０を介して取付部２５に取り付けられる。本体カバー部材２０及びケーブルカバー部材２４は、原稿排出トレイ１６の内側に着脱可能に装着されている。
【００３１】
図６（ｂ）を用いて取りつける手順を説明する。
・カードリーダ本体１８ａを本体カバー部材２０に保持させる（Ａ）。カードリーダ本体１８ａを本体カバー部材２０に保持させる構成の詳細は後述する。
・本体カバー部材２０を原稿排出トレイ１６の内部に固定する（Ｂ）。
・ＵＳＢケーブル１８ｂの端部にはＵＳＢコネクタが付いており、ＵＳＢコネクタを接続部２１ｂに接続する。ＵＳＢケーブル１８ｂを格納部２３に格納し、ケーブルカバー部材２４によりＵＳＢケーブル１８ｂを覆う（Ｃ）。
・原稿圧板１９を原稿搬送装置本体１０ａに取り付ける（Ｄ）。
【００３２】
このようにカードリーダ１８を取りつけることにより、画像読取装置制御部２ａはカードリーダ１８と通信可能になる。
【００３３】
原稿排出トレイ１６カードリーダ１８はメーカーにより様々な種類があり、これに伴って設けられているＵＳＢケーブル１８ｂの長さは約４０ｃｍ〜約１８０ｃｍまで様々な長さが存在する。原稿搬送装置１０は、リーダユニット１２に対して開閉可能に設けられている。そのため、カードリーダ１８の取付けの際に、ＵＳＢケーブル１８ｂを適切に束ねないまま原稿搬送装置１０の内部に格納した場合、原稿搬送装置１０の開閉動作に伴い、ＵＳＢケーブル１８ｂが原稿搬送装置１０の内部でガタガタ動いてしまう。結果、ＵＳＢケーブルが周辺の部品に衝突して異音が発生する。あるいは、前述したようにカードリーダ１８の取り付け過程で例えば原稿圧板１９のような周囲の部品と線噛みしてしまい断線してしまうおそれがある。
【００３４】
本実施形態では、原稿搬送装置１０の内部にカードリーダ１８から延在するＵＳＢケーブル１８ｂの余剰を格納する格納手段である格納部２３が設けられる。格納部２３は原稿排出トレイ１６の内側に矩形状のリブ２３ａで形成される。ＵＳＢケーブル１８ｂは、リブ２３ａの内側の領域に格納される。
【００３５】
図７（ａ）は格納部２３にＵＳＢケーブル１８ｂを格納した状態の斜視図、図７（ｂ）は原稿搬送装置１０の原稿圧板１９を装着した状態の斜視図である。図７（ａ）に示すように、ＵＳＢケーブル１８ｂは、リブ２３ａに囲われた内部に束ねられた状態で収納される。ＵＳＢケーブル１８ｂは、リブ２３ａから突出しないようにケーブルカバー部材２４によって覆われる。そして、図７（ｂ）に示されるように原稿搬送装置１０の原稿圧板１９を装着する。
【００３６】
図８（ａ）、図８（ｂ）はカードリーダ本体１８ａと本体カバー部材２０の拡大構成図である。本体カバー部材２０は、面ファスナー２６ａ、開口２０ａ、ネジ取り付け部２０ｂ、爪２０ｃ、錘装着部２０ｄ、脱落防止部２０ｄ−１、ケーブル開口２０ｅを備える。開口２０ａは、ベルト２７を通す。ネジ取り付け部２０ｂは、ネジ２９が取り付けられる。爪２０ｃは、原稿搬送装置本体１０ａに係合する。錘装着部２０ｄは、錘２８が装着可能に構成されている。ケーブル開口２０ｅは、ＵＳＢケーブルを本体カバー部材２０の外部へ出す。脱落防止部２０ｄ−１の説明は後述する。本体カバー部材２０に面ファスナー２６ａを設けることにより、原稿圧板１９に設けられる面ファスナー２６ｂの配置の自由度を上げることができる。
【００３７】
カードリーダ本体１８ａを取り付ける詳細を説明する。カードリーダ本体１８ａを、ベルト２７により本体カバー部材２０に固定する。ＵＳＢケーブル１８ｂを、ケーブル開口２０ｅから、本体カバー部材２０の外に出す。錘２８を、本体カバー部材２０からαの方向にスライドさせて取り除く。なお、錘２８の技術的意味は後述する。爪２０ｃを原稿搬送装置本体１０ａに係合させる。ネジ２９を用いてカードリーダ本体１８ａを原稿搬送装置本体１０ａに固定する。
【００３８】
〔格納部２３について〕
本実施形態によれば、ＵＳＢケーブル１８ｂの余剰した部分は、格納部２３に格納される。そのため、ＵＳＢケーブル１８ｂの余剰した部分は、格納部２３から飛び出して原稿圧板１９の動きを妨げることがない。結果、ユーザにより原稿搬送装置１０を開閉させたとしても、ＵＳＢケーブル１８ｂの余剰部分がある程度拘束されているため、別の部材にぶつかった時の異音が発生しにくい。原稿排出トレイ１６また原稿搬送装置１０と例えば原稿圧板１９などの周囲の部品との間に挟まれて断線するおそれがない。また、ＵＳＢケーブル１８ｂの余剰した部分を格納部２３に格納することでサービスマン等がカードリーダ１８の取付作業、取り外し作業を容易に行うことができる。なお、ケーブルカバー部材２４により格納部２３を覆う構成にしているが、ＵＳＢケーブル１８ｂが格納部２３に格納され略固定できるような構成であれば、ケーブルカバー部材２４を設けなくても良い。
【００３９】
〔カードリーダ１８の取り付け構成について〕
本実施形態によれば、原稿圧板１９を原稿搬送装置本体１０ａから取り除くことが可能に構成し、原稿圧板１９が取り除かれると取付部２５が外部へ露出するようにしている。このように構成することで、原稿搬送装置１０の内部へのアクセスを容易にし、カードリーダ１８の取り付け、取り外しを容易に行うことができるようにしている。また、本実施形態によれば、図７（ａ）に示すように、原稿搬送装置本体１０ａは、取付部２５の一部を覆うように突き出したひさし部を１０ｂを備える。そのため、ひさし部１０ｂがカードリーダ本体１８ａが原稿搬送装置本体１０ａから脱落するのを抑制することができる。本実施形態では、取付部２５にカードリーダ本体１８ａを、本体カバー部材２０、ベルト２７を含む第１取付手段を介して、原稿搬送装置本体１０ａに取り付けている。このように、本体カバー部材２０にカードリーダ本体１８ａを取り付けた後に、原稿搬送装置本体１０ａに取り付けるようにしたことで、直接原稿搬送装置本体１０ａに取り付けるような構成よりも取り付け作業が容易になる。
【００４０】
なお、本実施形態は原稿圧板１９を原稿搬送装置本体１０ａから全て取り除けるように構成したがこれに限られるものではない。原稿圧板１９の一部のみ原稿搬送装置本体１０ａから取り除けるように構成しても良い。また、原稿圧板１９の一部が原稿搬送装置本体１０ａと連結した状態において原稿圧板１９の他の一部を原稿搬送装置本体１０ａから取り外せるようにし、取付部２５が外部に露出するように構成しても良い。
【００４１】
〔錘２８について〕
本実施形態によれば、本体カバー部材２０は、錘装着部２０ｄを備え、錘２８を取り外し可能に構成されている。カードリーダ１８を原稿搬送装置本体１０ａに取り付ける場合は、当該錘２８を原稿搬送装置本体１０ａから取り外す。そして、カードリーダ１８を原稿搬送装置本体１０ａから取り外す場合は、当該錘２８を原稿搬送装置本体１０ａに取り付ける。このようにすることで、原稿搬送装置１０の重さをカードリーダ１８の有無により大きく変化させないようにしている。
【００４２】
この理由を説明する。読取ガラス４に置かれた原稿は原稿圧板１９により押圧される。しかし、原稿搬送装置１０の重さが十分でないと適切に原稿が読取ガラス４に押圧されず、原稿が読取ガラス４から浮いてしまうおそれがある。原稿が読取ガラス４から浮いてしまうと読取手段３ａによる原稿の画像の読取りが不良となってしまう。そのため、原稿搬送装置本体１０ａからカードリーダ１８を取り外した場合は、カードリーダ１８と略同一の重さの錘２８を取り付けることにより、原稿搬送装置１０の重さがカードリーダ１８の有無により大きく変化させないようにしている。カードリーダ１８と略同一の重さとは、画像読取装置２にオプションで設定されているカードリーダ１８の重さの±２０％程度の重さを指す。
【００４３】
図８（ａ）、図８（ｂ）に示されるように、本体カバー部材２０の錘装着部２０ｄは脱落防止部２０ｄ−１を備える。本体カバー部材２０に錘２８を取り付ける場合、βの方向に錘をスライドさせて取り付ける。錘２８は、脱落防止部２０ｄ−１に突きあたりそれ以上脱落することはない。そして、本体カバー部材２０を原稿搬送装置本体１０ａに取り付けると、原稿搬送装置本体１０ａの壁１０ｃが、錘２８がα方向において対向する位置になり脱落を防止する。このように構成することで、本体カバー部材２０が原稿搬送装置本体１０ａから取り外されている時は錘２８を本体カバー部材２０に取り付けやすする。一方、本体カバー部材２０が原稿搬送装置本体１０ａから取り付けられている時は錘２８が本体カバー部材２０から脱落しないようにすることができる。本実施形態は錘２８の取りつけ方向をβとしているが、これに限られるものではない。錘２８を本体カバー部材２０にβと垂直な方向から取り付けるようにしてもよい。その場合でも、本体カバー部材２０を原稿搬送装置本体１０ａに取り付けた場合は、原稿搬送装置本体１０ａの壁が錘２８の脱落を防止するようにすると良い。
【００４４】
なお、本実施形態は、本体カバー部材２０に錘装着部２０ｄを設ける構成としたがこれにかぎられるものではない。本体カバー部材２０を用いず、原稿搬送装置本体１０ａに直接錘２８を取り付けるように構成してもよい。
【００４５】
〔モータＭとカードリーダ本体１８ａとの関係について〕
図９は、原稿搬送装置１０の外装の一部を取り外し、モータＭを露出させた説明図である。図１０は、原稿搬送装置１０から原稿圧板１９を取り外した状態において、原稿搬送装置１０を下方からみた平面図である。
【００４６】
図９、図１０において、ヒンジ２２の回動軸線方向をＸ方向、ヒンジ２２の回動軸線方向と直交する方向をＹ方向とする。また、Ｙ方向において、原稿搬送装置１０の中心を通る仮想線を０、Ｘ方向において原稿搬送装置１０の中心を通る仮想線をＰとする。
【００４７】
図９に示すように、本実施形態では、Ｙ方向において、モータＭは仮想線Ｏの一方側に配置され、カードリーダ本体１８ａの取付部２５は仮想線Ｏの他方側に配置される。また、Ｘ方向において、モータＭは仮想線Ｐの一方側に配置され、カードリーダ本体１８ａの取付部２５は仮想線Ｐの他方側に配置される。このように、重量のあるモータＭとカードリーダ本体１８ａとを、中心を挟んで逆側に配置することにより原稿搬送装置１０の重心の位置が原稿搬送装置の中心から大きく外れてしまうことを抑制することができる。原稿搬送装置１０は、原稿圧板１９により原稿を読取ガラス４に押圧するようにしている。原稿搬送装置１０の重心が中心から大きくずれてしまうと原稿の押圧状態も不均一となるおそれがあり、原稿の画像の読取りが不良となるおそれがある。また、モータＭは、Ｙ方向に置いてヒンジに近い側（奥側）に配置され、取付部２５はヒンジに遠い側（手前側）に配置される。このようにすることで、モータＭのような電装系はユーザが触りにくいようにし、取付部２５を手前側に配置することでユーザが認証動作を行いやすくしている。
【００４８】
Ｘ方向において、カードリーダ本体１８ａの取付部２５は、仮想線Ｐに対し、操作パネル９と同じ側に配置されている。このように操作パネル９と取付部２５を近接させることで、操作パネル９にカード認証の操作が指示された場合に、ユーザの目線の移動を少なくすることができる。
【００４９】
原稿搬送装置１０を回動させるためにユーザが把持する把持部４０は、Ｘ方向において、仮想線Ｐに対し同じ側に配置している。このように、モータＭの近くに力点を置くことで、モータＭの重量による原稿搬送装置の捻じれの発生を抑制している。
【００５０】
図１０に示すように、接続部２１は、Ｙ方向において仮想線Ｏに対しモータＭと同じ側に配置される。このように、接続部２１とモータＭを近くに配置することで、モータＭを駆動するための画像読取装置制御部２ａにつながるケーブルと、接続部２１から画像読取装置制御部２ａにつながるケーブルの取り回しをしやすくしている。
【００５１】
〔接続部２１について〕
図１０を用いて、接続部２１の配置について説明をする。接続部２１とケーブルガイド５０は、Ｙ方向において、仮想線Ｏよりもヒンジに近い側に配置されている。また、接続部２１とケーブルガイド５０は、仮想線Ｐに対し同じ側に配置されている。このように、接続部２１とケーブルガイド５０を近くに配置するようにしている。原稿搬送装置１０とリーダユニット１２との間をケーブルでなるべく短くしようとすると、原稿搬送装置１０とリーダユニット１２との間に設けられるケーブルガイド５０は、Ｙ方向においてヒンジ２２に近い側に設けることが望ましい。そして、接続部２１も同様にヒンジ２２に近い位置に設けることで、接続部２１からリーダユニット１２につながるケーブルを短くすることができる。なお、接続部２１をケーブルガイド５０の近くに設けると、接続部２１からカードリーダ本体１８ａまで接続するＵＳＢケーブル１８ｂの長さが長くなってしまうおそれがある。しかしながら、ユーザは必ずしもカードリーダ１８を原稿搬送装置１０に設けないことを考慮すれば、リーダユニット１２と接続部２１とをつなぐケーブルをなるべく短くし、当該ケーブルのはいまわしの煩わしさを無くした方が良い。
【００５２】
また、カードリーダ本体１８ａを収容する本体カバー部材２０のケーブル開口２０ｅをＸ方向において、本体カバー部材２０の中心を通る仮想線Ｑよりも接続部２１に近い側に配置している。また、格納部２３のリブ２３ａの開口部２３ｄを、Ｘ方向において、格納部２３の中心を通る仮想線Ｒよりも接続部２１に近い側に配置している。このようにすることで、ＵＳＢケーブル１８ｂが原稿搬送装置１０の内部でなるべくすっきりするようにしている。
【００５３】
〔原稿排出トレイ１６の構成〕
図１１は、原稿排出トレイ１６の構成を説明するための図である。
【００５４】
本実施形態では、原稿排出トレイ１６の原稿が積載される領域は第１の領域１６ａと第２の領域１６ｂに分類することができる。なお、原稿が積載される領域（第１の領域１６ａと第２の領域１６ｂ）は、原稿読取装置２が読み取れる最大サイズの大きさの原稿により定義される。また、原稿が積載される領域（第１の領域１６ａと第２の領域１６ｂ）は、原稿と原稿排出トレイ１６とが接触する部分ではなく、原稿が原稿排出トレイ１６を覆い隠す部分を指す。
【００５５】
第１の領域１６ａは、第１の領域よりもＹ方向の手前側にシート規制部１６ｃが設けられている領域である。シート規制部１６ｃは、原稿が接触する底面１６ｄよりも高さが高くなっている部分である。シート規制部１６ｃにより、排出ローラ対３６から排出された原稿が手前方向に飛び出してくるのを抑制することができる。下流第２の領域１６ｂは、このようなシート規制部１６ｃが存在しない領域である。第２の領域１６ｂは、原稿の排出方向において、第１の領域１６ａの下流側に配置されている。
【００５６】
図４に示すように、第１の領域１６ａの底面１６ｄは、原稿の排出方向（原稿の搬送方向と同じ方向）において、下流に向かって高くなるような傾斜面となっている。そのため、排出された原稿は原稿の排出方向上流側に重力で寄せられ、接触壁１６ｅと原稿の排出方向の上流側端が接触し、原稿は整列させられる。
【００５７】
図１１に戻って説明をする。画像読取装置２の小型化のために、認証部Ｂ（カードリーダ本体１８ａが取り付けられる取付部２５）は、シートが積載される領域に設けるのが望ましい。しかし、第１の領域１６ａに認証部Ｂを設けようとすると、底面１６ｄか、シート規制部１６ｃに設けることになってしまう。底面１６ｃに設けると、シート規制部１６ｃを迂回して認証をしなければならないため面倒である。一方、シート規制部１６ｃに設けようとすると、シート規制部１６ｃのＹ方向の幅をカードリーダ本体１８ａが内部に配置できる程度に確保しなければならなくなり装置の大型化につながる。そこで、本実施形態では、第２の領域１６ｂと少なくとも一部が重複する位置に認証部Ｂを配置するようにしている。なお、認証部Ｂを第２の領域１６ｂと完全に重複する位置に配置するようにしてもよい。このようにすることで、ユーザの認証をしやすくしている。また、本実施形態では認証部Ｂの表面は水平面とすることでユーザの認証をしやすくしている。また、シート規制部１６ｃの上面と認証部の面は略同一平面とすることで、視覚的にすっきりとさせている。また、第２の領域１６ｂは傾斜部１７が設けられており、仮に原稿排出トレイ１６に原稿が排出されたとしても、原稿と認証部Ｂとの間に隙間ができるようにしており、ユーザの認証をしやすくしている。
【００５８】
（その他）
上述した実施形態では、カードリーダを取りつける装置として原稿搬送装置１０を用いて説明したがこれに限られるものではない。原稿搬送機能を有さない圧板ユニットの内部に通信ケーブルを格納するための格納部を設ける構成であっても良い。
【００５９】
また、上述した実施形態では、電子写真方式の画像形成装置で説明を行ったがこれに限られるものではない。電子写真方式の画像形成装置に代えて、インクを吐出して用紙に画像を形成するインクジェット方式の画像形成装置に本実施形態に係る発明を適用してもよい。
【００６０】
また、上述した実施形態では、画像読取装置として画像形成装置本体を備えた複写機として説明したがこれに限られるものではない。フラットベッドスキャナのような画像読取装置単体の物にも適用可能である。
【００６１】
また、上述した実施形態では、ユーザと無線通信をする通信装置である認証装置としてカードリーダを用いた例を説明したがこれに限られるものではない。指紋認証装置、生体認証（静脈認証）等のその他の認証装置を適用することも可能である。また、認証装置以外にも、ＮＦＣ（Near Field Communication）を利用した画像のデータを通信するための通信装置に適用しても良い。
【符号の説明】
【００６２】
１  画像形成装置
２  画像読取装置
１０  原稿搬送装置
１１  画像形成装置本体
１２  リーダユニット
１６  原稿排出トレイ
１７  傾斜部
１８  カードリーダ
１８ａ  カードリーダ本体
１８ｂ  ＵＳＢケーブル
２０  取付部
２３  格納部
【図１】
2018064153.tif 000003
【図２】
2018064153.tif 000004
【図３】
2018064153.tif 000005
【図４】
2018064153.tif 000006
【図５】
2018064153.tif 000007
【図６】
2018064153.tif 000008
【図７】
2018064153.tif 000009
【図８】
2018064153.tif 000010
【図９】
2018064153.tif 000011
【図１０】
2018064153.tif 000012
【図１１】
2018064153.tif 000013